(57)【要約】【課題】  箸等の食事用具や筆記具等を収納する収納袋と食事用具や筆記具等を置く箸等置きは、個別に分かれているため、個別に準備、保管する必要があり不便であった。本発明は、箸等の食事用具や筆記具等を収納する収納袋と箸等置きが一体になっているので個別に準備、保管する必要がなく、コンパクトかつ簡易に箸等置きが形成でき、状況に応じて収納袋と箸等置きが簡易に分離して使用可能となる構成の収納袋および箸等置き提供する。【解決手段】  収納袋の後方を閉じ部とし、収納袋の先方に開口部を設け、収納袋の一端に箸等置き部を設け、収納袋の一部に切れ目を設ける。箸等置き部には挿入部と切れ込み部を設け、切れ込み部には折り曲げ部を設け、箸等置き部と収納袋の間には折り曲げ部兼切り取り線を設ける。【選択図】図１
2018114252.tif 000002
【特許請求の範囲】
【請求項１】
箸等の食事用具や筆記具等を収納する収納袋と収納袋の一端に箸等の食事用具や筆記具等を置くことができる箸等置き部を一体的に備えた収納袋および箸等置き。
【請求項２】
前記箸等置きは、箸等置き部の一部に切れ込み部および折り曲げ部と挿入部を設け、さらに状況に応じて箸等置き部と収納袋が簡易に分離して使用することを可能とする折り曲げ部兼切り取り線を設けた請求項１の収納袋および箸等置き。
【請求項３】
前記箸等置きは、箸等置き部の一部の切れ込み部に設けた折り曲げ部を折り曲げることで箸等の食事用具や筆記具等が置くことが可能な状態を形成する請求項１から請求項２の収納袋および箸等置き。
【請求項４】
箸等の食事用具や筆記具等を収納する収納袋は、収納袋の後方を閉じ部とし、収納袋の先方に開口部を設け、収納袋の一部に挿入部を挿入するための切れ目を設け、折り曲げ部兼切り取り線を折り曲げ、切れ目に挿入部を差し込むことで開口部を閉じることができる構成の請求項１から請求項３の収納袋および箸等置き。
【発明の詳細な説明】
【技術分野】
【０００１】  本発明は、箸等の食事用具や筆記具等が収納される収納袋と収納袋の一端に箸等の食事用具や筆記具等を置くための箸等置き部を一体的に備えた収納袋および箸等置きに関するものである。
【背景技術】
【０００２】  従来、箸等の食事用具や筆記具等が収納される収納袋と箸等置きは、個別に形成されている。また箸袋を折り曲げて、箸置きを形成する構成の箸袋を利用した箸置き（特許文献１）等がある。
【先行技術文献】
【０００３】
【特許文献１】特開２００５−１０４５２９号公報
【発明の概要】
【発明が解決しようとする課題】
【０００４】  従来の、次のような欠点があった。
（イ）、箸等の食事用具や筆記具等を収納する収納袋と食事用具や筆記具等を置く箸等置きは、個別に分かれているため、個別に準備、保管する必要があり不便であった。
（ロ）、箸袋を折り曲げて箸置きを形成する構成のものは、箸袋を箸が置ける状態にするのに手間が掛かり簡易に形成できない構成であり、状況に応じて箸袋と箸置きを分離して使用することができない。また箸置きに形成した箸袋を元の箸袋として箸を収納するのが困難であった。
本発明は、以上のような欠点をなくすために発明されたものである。
【課題を解決するための手段】
【０００５】  収納袋（１）の後方を閉じ部（１３）とし、収納袋（１）の先方に開口部（１０）を設け、収納袋（１）の一端に箸等置き部（２）を設け、収納袋（１）の一部に切れ目（５）を設ける。箸等置き部（２）には挿入部（４）と切れ込み部（３）を設け、切れ込み部（３）には折り曲げ部（７）を設け、箸等置き部（２）と収納袋（１）の間には折り曲げ部兼切り取り線（８）を設けた収納袋および箸等置き。
以上の構成よりなる収納袋および箸等置き。
【発明の効果】
【０００６】  本発明を使用することによって、箸等の食事用具や筆記具等を収納する収納袋と箸等置きが一体になっているので個別に準備、保管する必要がなく、箸等の食事用具や筆記具等とそれを収納する収納袋と箸等置きが全てセットで準備、保管が可能となり、紛失も防止できる。【０００７】  箸等の食事用具や筆記具等を使用する際には、収納袋の一端に設けた箸等置き部によりコンパクトかつ簡易に箸等置きを形成でき、収納袋と箸等置き部の大きさを変更し、切れ込み部の凹部の数を増やすことで複数の箸等の食事用具や筆記具等の収納、保管及び箸等置きとしての使用が可能であり、さらに収納袋と箸等置き部を簡易に分離して可能となり状況に応じた幅広い使用ができる。
【図面の簡単な説明】
【０００８】
【図１】  本発明の使用状態を示す斜視図
【図２】  本発明の分離した箸等置き部の使用状態を示す斜視図
【図３】  本発明の平面図
【図４】  本発明の切れ目に挿入部を差し込んだ状態の平面図
【図５】  本発明の分離した箸等置き部の使用状態を示す側面図
【図６】  本発明の箸等置きの形成前の斜視図
【図７】  本発明の箸等置きの形成後の斜視図
【図８】  本発明の複数の筆記具等の使用状態を示す斜視図
【発明を実施するための形態】
【０００９】  以下、本発明の実施の形態を説明する。
（イ）、収納袋（１）の後方を閉じ部（１３）とし、収納袋（１）の先方に開口部（１０）を設け、収納袋（１）の一端に箸等置き部（２）を設け、収納袋（１）の一部に切れ目（５）を設ける。箸等置き部（２）には挿入部（４）と切れ込み部（３）を設け、切れ込み部（３）には折り曲げ部（７）を設ける。
（ロ）、箸等置き部（２）は、切れ込み部（３）に設けた折り曲げ部（７）を図１、図２、図５、図７、図８に示すように折り曲げることで箸等置きを形成し、切れ込み部（３）に設けた凹部（９）により、箸等の食事用具や筆記具等を安定して置くことが可能となり、収納袋（１）と箸等置き部（２）の大きさを変更し、切れ込み部（３）の凹部（９）の数を増やすことで複数の箸等の食事用具や筆記具等（１１）を置くことが可能である。また、箸等置き部（２）は、箸等置きがコンパクトかつ簡易に形成できるよう、図１、図７に示すように箸等置きを形成すると切れ込み部（３）のところに空間部（６）ができる構成である。
箸等置きを使用しない場合は、切れ込み部（３）を折り曲げる前の元の状態に戻し、使用すればよい。
また、箸等の食事用具としては、箸、フォーク、スプーン、ナイフ等があり、筆記具等は、鉛筆、毛筆、万年筆等がある、使う用途によりそれぞれ形状が異なるため、収納袋および箸等置き部の大きさ、形は限定しない。
（ハ）、箸等置き部（２）と収納袋（１）の間には折り曲げ部兼切り取り線（８）を設け、図４に示すように折り曲げ部兼切り取り線（８）を切れ目（５）に向かって折り曲げ箸等置き部（２）に設けた挿入部（４）を収納袋（１）に設けた切れ目（５）に差し込むことで収納袋（１）先方の開口部（１０）が閉じられ、収納袋（１）に箸等の食事用具や筆記具等を簡易に収納、保管することができる。さらに箸等置き部（２）と収納袋（１）を分離して使用したい場合は、箸等置き部（２）と収納袋（１）の間の折り曲げ部兼切り取り線（８）を図２に示すように切り取ることで箸等置き部（２）と収納袋（１）を簡易に分離して使用することができる。
本発明の収納袋および箸等置きは、分離して使用する場合もあり、厚紙等の素材を使用することが好ましい。
以上の構成よりなる収納袋および箸等置き。
【符号の説明】
【００１０】    １  収納袋
２  箸等置き部
３  切れ込み部
４  挿入部
５  切れ目
６  空間部
７  折り曲げ部
８  折り曲げ部兼切り取り線
９  凹部
１０  開口部
１１  筆記具等
１２  箸
１３  閉じ部
【図１】
2018114252.tif 000003
【図２】
2018114252.tif 000004
【図３】
2018114252.tif 000005
【図４】
2018114252.tif 000006
【図５】
2018114252.tif 000007
【図６】
2018114252.tif 000008
【図７】
2018114252.tif 000009
【図８】
2018114252.tif 000010